(57)【要約】【課題】  光ピックアップヘッドのアクチュエータのサイズ及び厚みを低減する。【解決手段】  水平に配設された磁場生成器及びコイル装置を備えた光ピックアップヘッドのアクチュエータが提供される。アクチュエータは、レンズホルダーと、磁場生成器と、コイル装置とを含む。コイル装置は、レンズホルダーの片側又は両側に水平に配設されており、同じ水平面上に配設されているフォーカシングコイル及びトラッキングコイルを含む。磁場生成器は、第１の磁石及び第２の磁石を含む。レンズホルダーは、第１の磁石と第２の磁石との間に水平に配設されている。第１の磁石及び第２の磁石は、それぞれ、第１の磁区、第２の磁区、第３の磁区、第４の磁区、及び第５の磁区を有する。磁場生成器は、各磁区においてコイル装置に隣接する磁気面を異なる極性として選択することにより、互いに垂直な第１の磁場と第２の磁場とを生成することができる。【選択図】  図４
2007066499.tif 000002
【特許請求の範囲】
【請求項１】
ディスク上のデータの読み出し又は書き込みを行うための光ピックアップヘッドのアクチュエータであって、
レンズを保持するレンズホルダーと、
上記ディスクの平面に垂直な磁場方向を有する第１の磁場と、上記ディスクの平面に平行な磁場方向を有する第２の磁場とを生成する磁場生成器と、
上記レンズホルダーの片側に水平に配設されているコイル装置とを備え、
上記磁場生成器は、
上記レンズホルダーの上方に水平に配設され、上記レンズホルダーに隣接する第１の磁区の磁気面、第３の磁区の磁気面、及び第５の磁区の磁気面が第１の極性を有するとともに、上記レンズホルダーに隣接する第２の磁区の磁気面及び第４の磁区の磁気面が第２の極性を有するような、第１の磁区、第２の磁区、第３の磁区、第４の磁区、及び第５の磁区を有する第１の磁石と、
上記レンズホルダーの下方に水平に配設され、上記レンズホルダーに隣接する第１の磁区の磁気面及び第５の磁区の磁気面が第１の極性を有するとともに、上記レンズホルダーに隣接する第２の磁区の磁気面、第３の磁区の磁気面、及び第４の磁区の磁気面が上記第２の極性を有するような、第１の磁区、第２の磁区、第３の磁区、第４の磁区、及び第５の磁区を有する第２の磁石とを備え、
上記コイル装置は、
第１の電流が流れ、上記第１の磁場に応じて、上記レンズホルダーをトラッキング方向に沿って移動させるような第１の反力を発生させるトラッキングコイルと、
第２の電流が流れ、上記第２の磁場に応じて、上記レンズホルダーをフォーカシング方向に沿って移動させるような第２の反力を発生させるフォーカシングコイルとを備え、
上記フォーカシングコイル及び上記トラッキングコイルは、同じ水平面上に配設されており、
上記第１の磁場は、上記第１の磁石の上記第３の磁区と上記第２の磁石の上記第３の磁区との間に形成され、
上記第２の磁場は、上記第１の磁石の上記第１の磁区と上記第１の磁石の上記第２の磁区と間と、上記第１の磁石の上記第４の磁区と上記第１の磁石の上記第５の磁区との間と、上記第２の磁石の上記第１の磁区と上記第２の磁石の上記第２の磁区との間と、上記第２の磁石の上記第４の磁区と上記第２の磁石の上記第５の磁区との間に形成されること
を特徴とする光ピックアップヘッドのアクチュエータ。
【請求項２】
上記フォーカシング方向は、上記ディスクの平面に垂直であること
を特徴とする請求項１記載の光ピックアップヘッドのアクチュエータ。
【請求項３】
上記トラッキング方向と上記フォーカシング方向とは、互いに垂直であること
を特徴とする請求項１記載の光ピックアップヘッドのアクチュエータ。
【請求項４】
上記コイル装置を２組備え、
上記コイル装置は、それぞれ、上記レンズホルダーの両側に水平に１組ずつ配設されていること
を特徴とする請求項１記載の光ピックアップヘッドのアクチュエータ。
【請求項５】
上記コイル装置は、ワイヤを巻回して作製されていること
を特徴とする請求項１記載の光ピックアップヘッドのアクチュエータ。
【請求項６】
上記コイル装置は、プリント回路基板から作製されていること
を特徴とする請求項１記載の光ピックアップヘッドのアクチュエータ。
【請求項７】
上記第１の磁石の上記第１の磁区、上記第１の磁石の上記第２の磁区、上記第１の磁石の上記第３の磁区、上記第１の磁石の上記第４の磁区、及び上記第１の磁石の上記第５の磁区は、上記コイル装置に対応して直線的に配設されており、
上記第２の磁石の上記第１の磁区、上記第２の磁石の上記第２の磁区、上記第２の磁石の上記第３の磁区、上記第２の磁石の上記第４の磁区、及び上記第２の磁石の上記第５の磁区は、上記コイル装置に対応して直線的に配設されていること
を特徴とする請求項１記載の光ピックアップヘッドのアクチュエータ。
【請求項８】
上記磁場生成器を２組備え、
上記磁場生成器は、それぞれ、上記レンズホルダーの両側に水平に１組ずつ配設されていること
を特徴とする請求項１記載の光ピックアップヘッドのアクチュエータ。
【請求項９】
ヨーク装置を備え、
上記ヨーク装置は、
上記第１の磁石の上方に水平に配設されている第１のヨークと、
上記第２の磁石の下方に水平に配設されている第２のヨークとを備えること
を特徴とする請求項１記載の光ピックアップヘッドのアクチュエータ。
【請求項１０】
上記第１のヨーク及び上記第２のヨークを２組備え、
上記第１のヨーク及び上記第２のヨークは、それぞれ、上記レンズホルダーの両側に水平に１組ずつ配設されていること
を特徴とする請求項９記載の光ピックアップヘッドのアクチュエータ。
【請求項１１】
上記第１の磁石は、多極性磁石であること
を特徴とする請求項７記載の光ピックアップヘッドのアクチュエータ。
【請求項１２】
上記第２の磁石は、多極性磁石であること
を特徴とする請求項７記載の光ピックアップヘッドのアクチュエータ。
【請求項１３】
上記ディスクは、複数のデータトラックを有し、
上記第１の反力は、上記レンズを上記データトラックの１つにフォーカシングさせること
を特徴とする請求項１記載の光ピックアップヘッドのアクチュエータ。
【請求項１４】
上記コイル装置及び上記磁場生成器は、上下水平式で配設されていること
を特徴とする請求項１記載の光ピックアップヘッドのアクチュエータ。
【請求項１５】
上記レンズホルダーを懸吊状態に懸吊するように当該レンズホルダーに接続されている懸吊装置を備えること
を特徴とする請求項１記載の光ピックアップヘッドのアクチュエータ。
【請求項１６】
上記懸吊装置は、金属性のワイヤであること
を特徴とする請求項１５記載の光ピックアップヘッドのアクチュエータ。
【請求項１７】
上記懸吊装置は、弾性シートであること
を特徴とする請求項１５記載の光ピックアップヘッドのアクチュエータ。
【請求項１８】
上記トラッキングコイルは、矩形状のリングコイルであること
を特徴とする請求項１記載の光ピックアップヘッドのアクチュエータ。
【請求項１９】
上記フォーカシングコイルは、矩形状のリングコイルであること
を特徴とする請求項１記載の光ピックアップヘッドのアクチュエータ。
【請求項２０】
上記コイル装置は、上記第１の磁石と上記第２の磁石との間に水平に配設されていること
を特徴とする請求項１記載の光ピックアップヘッドのアクチュエータ。
【発明の詳細な説明】
【技術分野】
【０００１】
本発明は、一般に、光ピックアップヘッドのアクチュエータに関し、特に、水平に配設された磁場生成器及びコイル装置を備えた光ピックアップヘッドのアクチュエータに関する。この特許出願は、２００５年８月２９日に出願された台湾特許出願第０９４１２９５５０号の利益を享受するものであり、その内容は、引用することによってここに組み込まれる。
【背景技術】
【０００２】
情報化時代においては、ほとんどのマルチメディア製品がディスクによって発行される。ディスクからのデータ読み出しやディスクに対するデータの書き込みを行う光ピックアップヘッドは、現代のデータアクセス技術において、当然に不可欠且つ重要な役割を果たす。
【０００３】
図１は、従来の光ピックアップヘッドのアクチュエータを示す平面図である。図２は、従来の光ピックアップヘッドのアクチュエータを示す側面図である。図３は、従来の光ピックアップヘッドのアクチュエータを示す斜視図である。これら図１乃至図３を同時に参照する。光ピックアップヘッドのアクチュエータ１００は、図示しないレンズホルダーと、磁場生成器と、フォーカシングコイル１３２と、トラッキングコイル１３４とを含む。レンズホルダーは、光ピックアップヘッドがディスクに対してデータを書き込んだり、ディスクからデータを読み出したりすることができるように、半導体レーザによって照射される光の焦点を多くのデータを格納しているディスク上に合わせるレンズを保持している。
【０００４】
磁場生成器は、第１の磁石１２２と、第１のヨーク１２３と、第２の磁石１２４と、第２のヨーク１２５とを含む。第２の磁石１２４の磁気面は、第１の磁石１２２の磁気面に面している。トラッキングコイル１３４に隣接する第１の磁石１２２の磁気面及び第２の磁石１２４の磁気面は、Ｎ極又はＳ極の同じ極性を有する。第１の磁石１２２と第１のヨーク１２３との間の相互作用、及び第２の磁石１２４と第２のヨーク１２５との間の相互作用は、磁場生成器が、第１の磁石１２２と第１のヨーク１２３との間に固定された方向の磁場を生成するとともに、第２の磁石１２４と第２のヨーク１２５との間に他の方向の磁場を生成するのを可能とする。
【０００５】
フォーカシングコイル１３２は、第１の磁石１２２と第２の磁石１２４との間に配設されており、当該フォーカシングコイル１３２の平面は、第１の磁石１２２及び第２の磁石１２４の磁気面に垂直である。フォーカシングコイル１３２に電流が流れると、当該フォーカシングコイル１３２は、電流及び磁場に応じて第２の反力を発生させ、レンズホルダーをフォーカシング方向に沿って移動させる。
【０００６】
トラッキングコイル１３４は、フォーカシングコイル１３２と第１の磁石１２２との間、及びフォーカシングコイル１３２と第２の磁石１２４との間に配設されている。トラッキングコイル１３４の平面は、第１の磁石１２２及び第２の磁石１２４の磁気面に平行である。トラッキングコイル１３４に電流が流れると、当該トラッキングコイル１３４は、電流及び磁場に応じて第１の反力を発生させ、レンズホルダーをトラッキング方向に沿って移動させる。
【０００７】
代替案としては、米国特許第６，７４４，７２２号明細書に開示されているように、互いに垂直に配設されている２つの磁石が用いられる。各磁石に対応するフォーカシングコイル及びトラッキングコイルもまた、それぞれ、光ピックアップヘッドのアクチュエータ内で互いに垂直になるように配設されている。フォーカシングコイル及びトラッキングコイル並びに磁場生成器は、フォーカシング方向及びトラッキング方向に沿って移動するようにアクチュエータを駆動するために、垂直に配設されている。
【０００８】
しかしながら、レンズホルダーをフォーカシング方向とトラッキング方向とに沿って移動させるような従来のアクチュエータにおいて互いに垂直な第１の反力と第２の反力とを発生させるために、設計者は、フォーカシングコイルとトラッキングコイルとの平面が互いに垂直となるように機構を設計しなければならない。したがって、フォーカシングコイル及びトラッキングコイルの巻線を巻回するプロセスが複雑であり、製造時間が長くなるとともに、製造コストが増加する。その結果、アクチュエータのサイズ及び厚みを事実上低減することができず、ＳＦＦＯ（small form factor optical disk drive）への光ピックアップの適用を制限している。
【発明の開示】
【発明が解決しようとする課題】
【０００９】
本発明は、このような実情に鑑みてなされたものであり、極めて簡便な構成のもとに、サイズと厚みとを低減した光ピックアップヘッドのアクチュエータを提供することを目的とする。
【課題を解決するための手段】
【００１０】
本発明は、水平に配設された磁場生成器及びコイル装置を備えた光ピックアップヘッドのアクチュエータを提供することによって上述した目的を達成する。光ピックアップヘッドは、ディスク上のデータの読み出し又は書き込みを行うためのものである。本発明にかかるアクチュエータは、レンズホルダーと、磁場生成器と、コイル装置とを含む。レンズホルダーは、レンズを保持する。磁場生成器は、第１の磁場と第２の磁場とを生成する。第１の磁場の磁場方向は、ディスクの平面に垂直である。また、第２の磁場の磁場方向は、ディスクの平面に平行である。
【００１１】
磁場生成器は、第１の磁石と、第２の磁石とを含む。第１の磁石は、レンズホルダーの上方に水平に配設されている。第１の磁石は、第１の磁区、第２の磁区、第３の磁区、第４の磁区、及び第５の磁区を有する。レンズホルダーに隣接する第１の磁石の第１の磁区の磁気面、第３の磁区の磁気面、及び第５の磁区の磁気面は、第１の極性を有する。また、レンズホルダーに隣接する第１の磁石の第２の磁区の磁気面及び第４の磁区の磁気面は、第２の極性を有する。
【００１２】
第２の磁石は、レンズホルダーの下方に水平に配設されている。第２の磁石は、第１の磁区、第２の磁区、第３の磁区、第４の磁区、及び第５の磁区を有する。レンズホルダーに隣接する第２の磁石の第１の磁区の磁気面及び第５の磁区の磁気面は、第１の極性を有する。また、レンズホルダーに隣接する第２の磁石の第２の磁区の磁気面、第３の磁区の磁気面、及び第４の磁区の磁気面は、第２の極性を有する。
【００１３】
磁場生成器は、第１の磁石の第３の磁区と第２の磁石の第３の磁区とによる逆の極性に応じて、第１の磁場を形成する。また、磁場生成器は、第１の磁石の第１の磁区と第２の磁区とによる逆の極性、第１の磁石の第４の磁区と第５の磁区とによる逆の極性、第２の磁石の第１の磁区と第２の磁区とによる逆の極性、及び第２の磁石の第４の磁区と第５の磁区とによる逆の極性に応じて、第２の磁場を形成する。
【００１４】
コイル装置は、レンズホルダーの片側又は両側に水平に配設されている。コイル装置は、トラッキングコイルと、フォーカシングコイルとを含む。トラッキングコイルは、第１の電流が流れると、第１の磁場に応じて、レンズホルダーをトラッキング方向に沿って移動させるような第１の反力を発生させる。
【００１５】
フォーカシングコイル及びトラッキングコイルは、同じ水平面上に配設されている。フォーカシングコイルは、第２の電流が流れると、第２の磁場に応じて、レンズホルダーをフォーカシング方向に沿って移動させるような第２の反力を発生させる。
【発明の効果】
【００１６】
本発明において、磁場生成器は、その同じ磁気面に異なる極性を有し、互いに垂直な方向の２つの磁場を発生させ、その結果、レンズホルダーをフォーカシング方向及びトラッキング方向に沿って移動させるための第１の反力と第２の反力とを発生させる。したがって、本発明において、トラッキングコイル及びフォーカシングコイルは、コイル装置の同じ平面上に統合され、事実上、アクチュエータのサイズと厚みとを低減することができる。
【発明を実施するための最良の形態】
【００１７】
以下、本発明を適用した具体的な実施の形態について図面を参照しながら詳細に説明する。本発明の他の目的、特徴、及び利点は、望ましいものの限定されることはない具体例についての以下の詳細な記述から明らかとなるであろう。以下の記述は、添付した図面を参照してなされる。
【００１８】
急速に成長している技術がある時代においては、製品競争力を拡張するために、電気機器の小型化が益々研究され、開発されており、特に光ディスクドライブの光ピックアップヘッドの分野においては顕著である。したがって、コイル装置の同じ平面上にトラッキングコイルとフォーカシングコイルとを統合し、磁場生成器における同じ磁気面に異なる極性を設計することは、水平に配設された磁場生成器及びコイル装置のそれぞれによってレンズホルダーがフォーカシング方向とトラッキング方向とに沿ってそれぞれ移動するのを可能とする。磁場生成器とコイル装置とが水平に配設されているので、光ピックアップヘッドのアクチュエータのサイズと厚みとを低減することができる。
【００１９】
第１の実施の形態
図４は、本発明の第１の実施の形態として示す光ピックアップヘッドのアクチュエータの構造を示す側面図である。図５は、本発明の第１の実施の形態として示す光ピックアップヘッドのアクチュエータの構造を示す平面図である。図４及び図５を参照すると、ディスク１０の複数のデータトラック上のデータの読み出し／書き込みを行う光ピックアップヘッドのアクチュエータ４００は、レンズホルダー４１０と、磁場生成器と、コイル装置４３０とを含む。レンズホルダー４１０は、その片側が懸吊されている。レンズ４１２を保持しているレンズホルダー４１０は、懸吊状態を形成するように懸吊装置４４０に接続されている。懸吊装置４４０は、例えば金属性のワイヤや弾性シートとすることができる。
【００２０】
磁場生成器は、第１の磁場と第２の磁場とを発生させる。第１の磁場の磁場方向は、ディスク１０の平面に垂直である。第２の磁場の磁場方向は、ディスク１０の平面に平行である。磁場生成器は、例えば、多極性磁石である第１の磁石４２２と、多極性磁石である第２の磁石４２４とを含む。第１の磁石４２２は、レンズホルダー４１０に水平に配設されている。第１の磁石４２２に対応する第２の磁石４２４は、レンズホルダー４１０の下方に水平に配設されている。
【００２１】
コイル装置４３０は、レンズホルダー４１０の片側に水平に配設されており、例えば、ワイヤを巻回して作製されたりプリント回路基板から作製されたりしているか、又はメッキされて作製されている。コイル装置４３０は、フォーカシングコイル４３２と、トラッキングコイル４３４とを含む。フォーカシングコイル４３２及びトラッキングコイル４３４は、それぞれ、例えば、矩形状のリングコイルとすることができる。フォーカシングコイル４３２に第２の電流が流れると、アクチュエータ４００は、第２の電流及び第２の磁場に応じて第２の反力を発生させ、レンズホルダー４１０をフォーカシング方向に沿って移動させる。トラッキングコイル４３４に第１の電流が流れると、アクチュエータ４００は、第１の電流及び第１の磁場に応じて第１の反力を発生させ、レンズホルダー４１０をトラッキング方向に沿って移動させる。トラッキングコイル４３４及びフォーカシングコイル４３２は、図５に示すように、同じ水平面上に配設されている。
【００２２】
アクチュエータ４００のコイル装置４３０は、２つのフォーカシングコイル４３２と、２つのトラッキングコイル４３４とを含む。フォーカシングコイル４３２及びトラッキングコイル４３４が、レンズ４１２を保持しているレンズホルダー４１０をフォーカシング方向又はトラッキング方向に沿って移動させるのを可能とするために、レンズホルダー４１０の上方及び下方に水平に配設されている磁場生成器は、当該磁場生成器の位置に応じて、フォーカシングコイル４３２又はトラッキングコイル４３４に関する磁場生成器の磁区の数と極性とを決定する。
【００２３】
図６は、トラッキングコイル４３４に第１の電流が流れているときの状態を示す図である。詳細には、コイル装置４３０が図５に示すように構成されているとき、第１の磁石４２２の磁区は、第１の磁区４２２（１）と、第２の磁区４２２（２）と、第３の磁区４２２（３）と、第４の磁区４２２（４）と、第５の磁区４２２（５）とを含む。第２の磁石４２４の磁区は、第１の磁区４２４（１）と、第２の磁区４２４（２）と、第３の磁区４２４（３）と、第４の磁区４２４（４）と、第５の磁区４２４（５）とを含む。第１の磁石４２２及び第２の磁石４２４のそれぞれの磁区は、コイル装置４３０に対応しており、直線的に配設されている。
【００２４】
コイル装置４３０に隣接する第１の磁石４２２の第１の磁区４２２（１）、第３の磁区４２２（３）、及び第５の磁区４２２（５）のそれぞれの片側と、同じくコイル装置４３０に隣接する第２の磁石４２４の第１の磁区４２４（１）及び第５の磁区４２４（５）のそれぞれの片側とは、第１の極性、すなわち、Ｓ極を有するように構成される。また、コイル装置４３０に隣接する第１の磁石４２２の第２の磁区４２２（２）及び第４の磁区４２２（４）のそれぞれの片側と、同じくコイル装置４３０に隣接する第２の磁石４２４の第２の磁区４２４（２）、第３の磁区４２４（３）、及び第４の磁区４２４（４）のそれぞれの片側とは、第２の極性、すなわち、Ｎ極を有するように構成される。
【００２５】
磁場生成器は、コイル装置４３０に隣接する第１の磁石４２２の第３の磁区４２２（３）の片側をＳ極に設計するとともに、コイル装置４３０に隣接する第２の磁石４２４の第３の磁区４２４（３）の片側をＮ極に設計することにより、第１の磁場Ｂ１を形成することができる。第１の磁場Ｂ１の磁場方向は、コイル装置４３０の平面に垂直である。第１の磁場Ｂ１の作用のもとにトラッキングコイル４３４に第１の電流Ｉ１が流れた場合には、第１の電流Ｉ１と第１の磁場Ｂ１は、第１の反力Ｆ１を形成する。懸吊装置４４０がレンズホルダー４１０を懸吊状態とすることから、第１の反力Ｆ１は、レンズホルダー４１０をトラッキング方向に沿って移動させるように作用する。
【００２６】
図７は、フォーカシングコイル４３２に第２の電流が流れているときの状態を示す図である。同様に、コイル装置４３０に隣接する第１の磁石４２２の第１の磁区４２２（１）及び第５の磁区４２２（５）のそれぞれの片側と、同じくコイル装置４３０に隣接する第２の磁石４２４の第１の磁区４２４（１）及び第５の磁区４２４（５）のそれぞれの片側とは、Ｓ極を有するように構成される。また、コイル装置４３０に隣接する第１の磁石４２２の第２の磁区４２２（２）及び第４の磁区４２２（４）のそれぞれの片側と、同じくコイル装置４３０に隣接する第２の磁石４２４の第２の磁区４２４（２）及び第４の磁区４２４（４）のそれぞれの片側とは、Ｎ極を有するように構成される。したがって、磁場生成器は、コイル装置４３０の平面に平行な磁場方向を有する第２の磁場Ｂ２を形成することができる。
【００２７】
第２の磁場Ｂ２の作用のもとにフォーカシングコイル４３２に第２の電流Ｉ２が流れた場合には、アクチュエータ４００は、第２の電流Ｉ２に応じて、レンズホルダー４１０をフォーカシング方向に沿って移動させるような第２の反力Ｆ２を発生させる。
【００２８】
互いに垂直な反力は、データの読み出し又は書き込みを行うために、レンズホルダー４１０をトラッキング方向又はフォーカシング方向に沿って移動するように駆動する。なお、レンズホルダーは、第１の実施の形態にて説明したものに限定されるものではない。代わりに、レンズホルダーが適切に変更された場合にも、本発明の効果は実現される。
【００２９】
第２の実施の形態
図８は、本発明の第２の実施の形態として示す光ピックアップヘッドのアクチュエータの構造を示す側面図である。図９は、本発明の第２の実施の形態として示す光ピックアップヘッドのアクチュエータの構造を示す平面図である。本発明のレンズホルダーは、第１の実施の形態にて示した片側が懸吊されている図４のものに限定されない。レンズホルダーの外観設計を変更すると、当該レンズホルダーの変更に対応して、コイル装置と、磁場生成器と、懸吊装置とが変更され、その結果、各部材が１組ずつレンズホルダーの両側に配設される。
【００３０】
例えば、図８に示すように、レンズホルダー５１０の両側が懸吊されている場合には、第１の実施の形態にて示したコイル装置４３０、第１の磁石４２２、第２の磁石４２４、第１の磁石４２２の上方に水平に配設されている第１のヨーク、第２の磁石４２４の下方に水平に配設されている第２のヨーク、及び懸吊装置４４０は、レンズホルダー５１０の設計に応じて、当該レンズホルダー５１０の両側に１組ずつ配設される。
【００３１】
本発明の実施の形態は、水平に配設された磁場生成器及びコイル装置を備えた光ピックアップヘッドのアクチュエータを開示した。本発明においては、トラッキングコイルとフォーカシングコイルとがコイル装置の同じ平面上に統合され、磁場生成器とコイル装置とが水平に配設されていることから、事実上、アクチュエータのサイズと厚みとを低減することができる。したがって、本発明は、光ピックアップヘッドのサイズ及び厚みの低減により、さらにＳＦＦＯ（small form factor optical disk drive）に適用することができる。
【００３２】
本発明が、一例を介して、また望ましい具体例として記述されていた一方で、本発明は、これに限定されるものではないことは理解されるべきである。これに対して、本発明は、様々な変形例並びに同様の配置及び処理を包含するように意図されるべきである。したがって、添付した特許請求の範囲は、そのような変形例並びに同様の配置及び処理を全て包含するように、最も広い解釈として与えられるべきである。
【図面の簡単な説明】
【００３３】
【図１】従来の光ピックアップヘッドのアクチュエータを示す平面図である。
【図２】従来の光ピックアップヘッドのアクチュエータを示す側面図である。
【図３】従来の光ピックアップヘッドのアクチュエータを示す斜視図である。
【図４】本発明の第１の実施の形態として示す光ピックアップヘッドのアクチュエータの構造を示す側面図である。
【図５】本発明の第１の実施の形態として示す光ピックアップヘッドのアクチュエータの構造を示す平面図である。
【図６】トラッキングコイルに第１の電流が流れているときの状態を示す図である。
【図７】フォーカシングコイルに第２の電流が流れているときの状態を示す図である。
【図８】本発明の第２の実施の形態として示す光ピックアップヘッドのアクチュエータの構造を示す側面図である。
【図９】本発明の第２の実施の形態として示す光ピックアップヘッドのアクチュエータの構造を示す平面図である。
【符号の説明】
【００３４】
１０  ディスク
４００  アクチュエータ
４１０，５１０  レンズホルダー
４１２  レンズ
４２２  第１の磁石
４２２（１），４２４（１）  第１の磁区
４２２（２），４２４（２）  第２の磁区
４２２（３），４２４（３）  第３の磁区
４２２（４），４２４（４）  第４の磁区
４２２（５），４２４（５）  第５の磁区
４２４  第２の磁石
４３０  コイル装置
４３２  フォーカシングコイル
４３４  トラッキングコイル
４４０  懸吊装置
Ｂ１  第１の磁場
Ｂ２  第２の磁場
Ｆ１  第１の反力
Ｆ２  第２の反力
Ｉ１  第１の電流
Ｉ２  第２の電流
【図１】
2007066499.tif 000003
【図２】
2007066499.tif 000004
【図３】
2007066499.tif 000005
【図４】
2007066499.tif 000006
【図５】
2007066499.tif 000007
【図６】
2007066499.tif 000008
【図７】
2007066499.tif 000009
【図８】
2007066499.tif 000010
【図９】
2007066499.tif 000011